(57)【要約】【課題】  吊り下げた商品の離脱を防止することができる陳列具を提供する。【解決手段】  陳列具本体３１の取付部３２に切り込み３３を設け、上方へ延出する支持片３４と、下方へ延出する舌片３５とを対向して設ける。支持片３４の右側辺６１をほぼ垂直に延設し、左側辺６２を右斜め上方に延設する。支持片３４の上縁６３を、右斜め上方へ向けて延設し、この上縁６３の下側に位置する左端部に、側方へ突出する鉤状の突出部６４を設ける。陳列具本体３１を吊り下げた状態での水平線に対する支持片３４の上縁６３の傾斜角を角度βに設定し、この角度βを、物品に設けられた三角形状の吊り下げ穴の斜辺が成す角度αと異なる角度に設定する。上縁６３の突出部６４先端から右端までの長さ寸法を長さＬ２に設定し、この長さＬ２を吊り下げ穴の斜辺の長さ以下とする。【選択図】        図１
2005237442.tif 000002
【特許請求の範囲】
【請求項１】
シート状の陳列具本体に形成された切り込みによって上方へ延出する支持片と下方へ延出する舌片とが対向して設けられ、物品に設けられた三角形状の吊り下げ穴に前記支持片を挿入して当該物品を陳列具本体に吊り下げる陳列具であって、
前記支持片の上縁を斜めに傾斜して設定する一方、前記上縁の長さ寸法を前記吊り下げ穴の斜辺の長さ以下に設定するとともに、傾斜した前記上縁に側方へ突出する突出部を設けたことを特徴とする陳列具。
【発明の詳細な説明】
【技術分野】
【０００１】
本発明は、物品を吊り下げて陳列する陳列具に関する。
【背景技術】
【０００２】
従来、商品を吊り下げて陳列する際には、図８に示すように、陳列具１０１が用いられていた（例えば、特許文献１参照。）。
【０００３】
この陳列具１０１を構成する台紙１１１には、商品１１２を吊り下げる吊り下げ部１１３が複数箇所に設けられている（一箇所のみ図示）。各吊り下げ部１１３は、下向きのコ字状の切り込みで形成された上向きの支持片１１４と、上向きのコ字状の切り込みで形成された下向きの舌片１１５とによって構成されている。
【０００４】
これにより、商品１１２の吊り下げ片１２１に設けられた吊り下げ穴１２２へ前記支持片１１４を挿入した状態で、当該商品１１２を吊り下げられるように構成されている。
【特許文献１】実開平６−５５４６０号公報
【発明の開示】
【発明が解決しようとする課題】
【０００５】
しかしながら、このような陳列具１０１にあっては、何らかの理由で商品１１２が揺動した際には、商品１１２が支持片１１４から離脱し易かった。
【０００６】
本発明は、このような従来の課題に鑑みてなされたものであり、吊り下げた商品の離脱を防止することができる陳列具を提供することを目的とするものである。
【課題を解決するための手段】
【０００７】
前記課題を解決するために本発明の陳列具にあっては、シート状の陳列具本体に形成された切り込みによって上方へ延出する支持片と下方へ延出する舌片とが対向して設けられ、物品に設けられた三角形状の吊り下げ穴に前記支持片を挿入して当該物品を陳列具本体に吊り下げる陳列具であって、前記支持片の上縁を斜めに傾斜して設定する一方、前記上縁の長さ寸法を前記吊り下げ穴の斜辺の長さ以下に設定するとともに、傾斜した前記上縁に側方へ突出する突出部を設けた。
【０００８】
すなわち、陳列具本体の支持片に吊り下げ穴を挿入して物品を吊り下げるには、物品を舌片の先端から物品の上端が右の切れ込みの先端及び左の切れ込みの先端に当たるまで斜めに挿入する。次いで、物品の上端が接した状態で吊り下げ穴の頂点を支持片の先端の位置までスライドさせる。あとは手を離すと傾斜している台紙は真っ直ぐになり、自重により吊り下げ穴の斜辺と支持片の傾斜に沿って下に移動し、物品が吊り下げられる。
【０００９】
そして、この吊り下げられた物品を取り外せる状態にするには、まず物品を上方へ平行移動し、次いで物品を横方向へスライドさせ、前記吊り下げ穴の開口縁部を前記支持片の側縁に当接させる。この状態において、前記吊り下げ穴の斜辺が、支持片の突起部を乗り越えるまで物品を傾斜させ、傾斜させた状態で物品を下方にスライドさせることにより取り外すことができる状態になる。
【００１０】
つまり、取り外しができる状態にするには、物品は複合的な動きを要求されるため、前記支持片の前記吊り下げ穴からの不用意な抜けが防止される。
【発明の効果】
【００１１】
以上説明したように本発明の陳列具にあっては、吊り下げられた物品を取り外せる状態にするには、物品は複合的な動きを要求される。
【００１２】
したがって、吊り下げられた物品が揺動するだけで、物品が支持片から離脱する恐れのあった従来と比較して、物品の取り付けやすさと取り外し性を確保しつつ、揺動による物品の不用意な離脱を防止することができる。
【発明を実施するための最良の形態】
【００１３】
以下、本発明の一実施の形態を図に従って説明する。図１は、本実施の形態にかかる陳列具１を示す図であり、該陳列具１は、図２にも示すように、例えば複数の物品２を吊り下げて店頭に陳列するものである。
【００１４】
この物品２は、例えば商品を収容した透明のケーシング１１と、該ケーシング１１の後部開口部を閉鎖する台紙１２とからなり、該台紙１２の上縁部には、吊り下げ穴１３が開設されている。この吊り下げ穴１３は、二等辺三角形状に形成されており、棒状のフックと幅広のフックとの両者に掛止できるように構成されている。
【００１５】
前記吊り下げ穴１３の斜辺２１，２１と底辺２２とが成す角、すなわち当該物品２を吊り下げた状態における水平線と前記斜辺２１とが成す角は、所定の角度αに設定されている。また、各斜辺２１，２１は、長さ寸法は、所定の長さＬ１に設定されている。
【００１６】
また、前記陳列具１の陳列具本体３１は、図１に示したように、縦長の長方形状に形成されたボール紙からなり、この陳列具本体３１には、物品２を取り付ける為の取付部３２，・・・が複数箇所に設定されている。各取付部３２，・・・には、切り込み３３が形成されており、陳列状態において、上方へ延出する支持片３４と、下方へ延出する舌片３５とが対向して設けられている。
【００１７】
すなわち、前記切り込み３３は、縦方向に離間して設けられた対を成す左縦線部４１及び右縦線部４２と、両縦線部４１，４２を連結する連結線部４３とによって構成されている。前記左縦線部４１の上端及び前記右縦線部４２の上端並びに下端には、折り返されて成る折り返し部４４，・・・が形成されており、当該陳列具本体３１が裂けないように構成されている。
【００１８】
また、前記連結線部４３は、前記左縦線部４１の下端より斜め上方へ延出する傾斜部５１と、該傾斜部５１先端より前記左線部４１側へくの字状に突出した折り返し部５２と、該折り返し部５２先端から斜め上方へ延出して前記右縦線部４２の中間部に連接された連設部５３とによって構成されている。これにより、この連結線部４３より下側には、前記物品２の前記吊り下げ穴１３に挿入され当該物品２を陳列具本体３１に吊り下げる為の前記支持片３４が形成されており、上側には、前記支持片３４からの前記吊り下げ穴１３の離脱を防止する前記舌片３５が形成されている。
【００１９】
前記支持片３４の右側辺６１は（図１中右方の取付部３２のみに符号を図示）、ほぼ垂直に延在するとともに、前記支持片３４の左側辺６２は、右斜め上方に延在するように構成されている。また、前記支持片３４の上縁６３は、右斜め上方へ向けて延在するように構成されており、この上縁６３の下側に位置する左端部には、側方へ突出する鉤状の突出部６４が形成されている。
【００２０】
また、当該陳列具本体３１の下縁、すなわち当該陳列具本体３１を吊り下げて陳列した状態での水平線に対する前記支持片３４の上縁６３の傾斜角は、角度βに設定されており、この角度βは、前記吊り下げ穴１３の斜辺２１が成す角度αと異なる角度に設定されている。前記上縁６３の前記突出部６４先端から右端までの長さ寸法は、長さＬ２に設定されており、この長さＬ２は、前記吊り下げ穴１３の各斜辺２１，２１の長さＬ１以下となるように設定されている。
【００２１】
以上の構成にかかる本実施の形態において、陳列具本体３１の支持片３４に吊り下げ穴１３を挿入して物品２を吊り下げるには、物品２を舌片３５の先端から物品２の上端が右の切れ込み３３の先端及び左の切れ込み３３の先端に当たるまで斜めに挿入する。次いで、物品２の上端が接した状態で吊り下げ穴１３の頂点を支持片３４の先端の位置までスライドさせる。あとは手を離すと傾斜している台紙は真っ直ぐになり、自重により吊り下げ穴１３の斜辺２１と支持片３４の傾斜に沿って下に移動し、物品２が吊り下げられる。
【００２２】
そして、この吊り下げられた物品２を取り外せる状態にするには、図３に示すように、先ず物品２を、図４に示すように、上方へ垂直に移動する。次に、この物品２を、図５に示すように、右方向へ水平にスライドさせ、前記吊り下げ穴１３の開口縁部を前記支持片３４の左側辺６２に当接させる。
【００２３】
このとき、前記支持片３４には、左方へ突出する突出部６４が設けられており、前記吊り下げ穴１３の開口縁部が前記突出部６４に当接することによって、当該物品２の前記支持片３４の上縁６３側への移動が防止される。また、前記支持片３４の上縁６３の水平線に対する角度βと、前記吊り下げ穴１３の前記斜辺２１が水平線に対して成す角度αとは、異なる角度に設定されており、前記支持片３４の上縁６３は、前記吊り下げ穴１３の斜辺２１と交差すること及び突出部６４により、前記支持片３４の前記吊り下げ穴１３からの不用意な抜けが防止される。
【００２４】
この状態において、前記吊り下げ穴１３の斜辺２１が、図６に示すように、支持片３４の突起部６４を乗り越えるまで物品２を傾斜させ、図７に示すように、傾斜させた状態で物品２を下方にスライドさせることにより取り外すことができる。このとき、前記支持片３４の上縁６３の長さＬ２は、前記吊り下げ穴１３の左側に位置する斜辺２１の長さＬ１以下となるように設定されている。このため、前記支持片３４を前記吊り下げ穴１３から抜くことができ、前記物品２を、前記陳列具本体３１から取り外せる状態になる。
【００２５】
このように、取り外しができる状態にするには、物品２は複合的な動きを要求されるため、前記支持片３４の前記吊り下げ穴１３からの不用意な抜けが防止される。
【００２６】
したがって、吊り下げられた物品が揺動するだけで支持片から離脱する恐れのあった従来と比較して、物品２の取り付けやすさと取り外し性を確保しつつ、揺動による物品２の不用意な離脱を防止することができる。
【図面の簡単な説明】
【００２７】
【図１】本発明の一実施の形態を示す要部の正面図である。
【図２】同実施の形態で用いた物品を示す正面図である。
【図３】同実施の形態の物品の取り外し状態を示す説明図である。
【図４】図３に続く取り外し状態を示す説明図である。
【図５】図４に続く取り外し状態を示す説明図である。
【図６】図５に続く取り外し状態を示す説明図である。
【図７】図６に続く取り外し状態を示す説明図である。
【図８】従来の陳列具を示す要部の斜視図である。
【符号の説明】
【００２８】
１    陳列具
２    物品
１３    吊り下げ穴
２１    斜辺
３１    陳列具本体
３３    切り込み
３４    支持片
３５    舌片
６３    上縁
６４    突出部
【図１】
2005237442.tif 000003
【図２】
2005237442.tif 000004
【図３】
2005237442.tif 000005
【図４】
2005237442.tif 000006
【図５】
2005237442.tif 000007
【図６】
2005237442.tif 000008
【図７】
2005237442.tif 000009
【図８】
2005237442.tif 000010